(57)【要約】      （修正有）【課題】接続が安定し、構造の自由度が高く、着脱が容易な照明器具の固定構造を提供する。【解決手段】照明器具の固定構造は、本体部１０と、導電押さえ片と、導電押さえ片を本体部上に固定する固定部材とを備える。本体部は、ベースボディ１１と、ベースボディ上に接続されてベースボディの上端面に延設された掛止部１２と、ベースボディの両側に接続された弾片部１３とを有する。ベースボディ全体は方形状に成形される。ベースボディの上端面の中央部には、下向きに貫通した貫線孔１５が形成される。掛止部１２は、互いに一体成形された接続部１２２及び係合部１２１を含む。接続部及び係合部は、逆Ｌ字状に成形され、接続部は、ベースボディ上に延設される。【選択図】図１
0003226698.tif 000002
【実用新案登録請求の範囲】
【請求項１】
本体部と、導電押さえ片と、前記導電押さえ片を前記本体部上に固定する固定部材と、を備えた照明器具の固定構造であって、
前記本体部は、ベースボディと、前記ベースボディ上に接続されて前記ベースボディの上端面に延設された掛止部と、前記ベースボディの両側に接続された弾片部と、を有し、
前記ベースボディ全体は方形状に成形され、
前記ベースボディの上端面の中央部には、下向きに貫通した貫線孔が形成され、
前記掛止部は、互いに一体成形された接続部及び係合部を含み、  
前記接続部及び前記係合部は、逆Ｌ字状に成形され、
前記接続部は、前記ベースボディ上に延設されることを特徴とする照明器具の固定構造。
【請求項２】
前記ベースボディ上の前記掛止部の個数は２つであり、
２つの前記掛止部上の前記係合部は、対向配置され、前記掛止部は、前記ベースボディに対角位置で設けられることを特徴とする請求項１に記載の照明器具の固定構造。
【請求項３】
前記ベースボディの両側には、底面から上方へ延びた可動槽が形成され、
２つの前記弾片部は、前記可動槽の槽底壁上にそれぞれ接続され、
前記弾片部の底部は、垂直方向で前記ベースボディの下方まで延びることを特徴とする請求項１に記載の照明器具の固定構造。
【請求項４】
前記弾片部の底端の外側面には、バンプが設けられ、
前記バンプ上には、ガイド斜面が設けられ、
前記バンプは、前記可動槽の外側まで水平方向で延びることを特徴とする請求項３に記載の照明器具の固定構造。
【請求項５】
ランプ体、ランプホルダ及び請求項１〜４の何れか１項に記載の照明器具の固定構造を備え、
前記ランプ体上には、頂面近くに頂板が設けられ、
前記頂板上には、係入槽が形成され、
前記ランプ体は、前記照明器具の固定構造上に取付けられ、弾片部が内方に収縮して前記係入槽に挿通されると、弾性回復力により初期位置に復位し、前記弾片部上のバンプが前記頂板の下方に係合され、前記ランプホルダの底部上には、導入槽と、前記導入槽と連通した固定槽とが設けられ、前記導入槽は、前記固定槽と連通し、前記固定槽は、内側が広くて外側が狭くなるように形成され、前記固定槽がリング状に形成され、実際に組立てるとき、固定部材を緩めて開き、前記ランプホルダ上のケーブルを貫線孔に挿通し、前記ランプ体上の前記ケーブルを導電押さえ片上に係入してから固定部材を締め付け、前記導電押さえ片を前記ケーブル上の接続面に強く圧着させて回路の導通を保持し続け、前記照明器具の固定構造上の掛止部は、前記導入槽から係入され、前記照明器具の固定構造を回転させることにより前記掛止部を前記固定槽内に係合させることを特徴とする照明器具の固定構造の用途。
【請求項６】
前記係入槽の個数は２つであり、２つの前記係入槽間の間隔が２つの弾片部上のバンプ間の間隔より小さいことを特徴とする請求項５に記載の照明器具の固定構造の用途。
【請求項７】
ランプ体、ランプホルダ及び請求項１〜４の何れか１項に記載の照明器具の固定構造を備え、
前記ランプ体は、前記ランプホルダ上に直接取付けられ、
前記照明器具の固定構造は、前記ランプホルダ上に直接取り付けられ、
前記ランプ体は、前記照明器具の固定構造の外側を覆い、
前記ランプホルダ上には、導入槽と、前記導入槽と連通した固定槽と、が形成され、
前記導入槽と前記固定槽とが連通し、前記固定槽は、内側が広くて外側が狭くなるように形成され、前記固定槽がリング状に形成され、実際に使用する際、固定部材を緩めて開き、前記ランプホルダ上のケーブルが貫線孔に挿通され、前記ランプ体上の前記ケーブルを導電押さえ片上に係入してから固定部材を締め付け、導電押さえ片を前記ケーブル上の接続面に強く圧着させ、回路の導通を維持し、前記照明器具の固定構造上の掛止部は、前記導入槽から係入され、前記照明器具の固定構造を回転させることにより前記掛止部を前記固定槽内に係合させることを特徴とする、照明器具の固定構造の用途。
【考案の詳細な説明】
【技術分野】
【０００１】
本考案は、照明装置部材に関するものであり、さらに詳しくは、照明器具の固定構造及びその用途に関するものである。
【背景技術】
【０００２】
従来のコネクタの一部は、ねじ部によりランプ体に接続され、取付けるときはコネクタを回転させてねじ部をランプ体に接続させる形態である。しかし、ねじ部により接続させるため、使用過程でランプ体が回転してしまい、ランプを正常な状態で使用することができず、外観があまり良くないことが指摘されてきた。また、従来のコネクタ構造は、自由度が低く、接線に手間もかかり、作業能率が低下するという難点も包蔵されていた。
【考案の概要】
【考案が解決しようとする課題】
【０００３】
従って、本考案の課題は、前記の通りの従来技術の問題を改善することが可能な、照明器具の固定構造を提供することにある。
【課題を解決するための手段】
【０００４】
そこで、本考案者は、本考案の前記課題を解決するため、鋭意検討を重ねた結果、後述のように、本体部と、導電押さえ片と、前記導電押さえ片を前記本体部に固定する固定部材を少なくとも備えた固定構造が前記課題を解決できる点に着目し、かかる知見に基いて、本考案に想到するに至った。
【０００５】
かくして、本考案の要旨は、次の（１）〜（７）に記載の通りのものである。
（１）本体部と、導電押さえ片と、前記導電押さえ片を前記本体部上に固定する固定部材と、を備えた照明器具の固定構造であって、前記本体部は、ベースボディと、前記ベースボディ上に接続されて前記ベースボディの上端面に延設された掛止部と、前記ベースボディの両側に接続された弾片部と、を有し、前記ベースボディ全体は方形状に成形され、前記ベースボディの上端面の中央部には、下向きに貫通した貫線孔が形成され、前記掛止部は、互いに一体成形された接続部及び係合部を含み、前記接続部及び前記係合部は、逆Ｌ字状に成形され、前記接続部は、前記ベースボディ上に延設されることを特徴とする照明器具の固定構造。
（２）前記ベースボディ上の前記掛止部の個数は２つであり、２つの前記掛止部上の前記係合部は、対向配置され、前記掛止部は、前記ベースボディに対角位置で設けられることを特徴とする前記（１）に記載の照明器具の固定構造。
（３）前記ベースボディの両側には、底面から上方へ延びた可動槽が形成され、２つの前記弾片部は、前記可動槽の槽底壁上にそれぞれ接続され、前記弾片部の底部は、垂直方向で前記ベースボディの下方まで延びることを特徴とする前記（１）に記載の照明器具の固定構造。
（４）前記弾片部の底端の外側面には、バンプが設けられ、前記バンプ上には、ガイド斜面が設けられ、前記バンプは、前記可動槽の外側まで水平方向で延びることを特徴とする前記（３）に記載の照明器具の固定構造。
（５）ランプ体、ランプホルダ及び前記（１）〜（４）の何れか１項に記載の照明器具の固定構造を備え、前記ランプ体上には、頂面近くに頂板が設けられ、前記頂板上には、係入槽が形成され、前記ランプ体は、前記照明器具の固定構造上に取付けられ、弾片部が内方に収縮して前記係入槽に挿通されると、弾性回復力により初期位置に復位し、前記弾片部上のバンプが前記頂板の下方に係合され、前記ランプホルダの底部上には、導入槽と、前記導入槽と連通した固定槽とが設けられ、前記導入槽は、前記固定槽と連通し、前記固定槽は、内側が広くて外側が狭くなるように形成され、前記固定槽がリング状に形成され、実際に組立てるとき、固定部材を緩めて開き、前記ランプホルダ上のケーブルを貫線孔に挿通し、前記ランプ体上の前記ケーブルを導電押さえ片上に係入してから固定部材を締め付け、前記導電押さえ片を前記ケーブル上の接続面に強く圧着させて回路の導通を保持し続け、前記照明器具の固定構造上の掛止部は、前記導入槽から係入され、前記照明器具の固定構造を回転させることにより前記掛止部を前記固定槽内に係合させることを特徴とする照明器具の固定構造の用途。
（６）前記係入槽の個数は２つであり、２つの前記係入槽間の間隔が２つの弾片部上のバンプ間の間隔より小さいことを特徴とする前記（５）に記載の照明器具の固定構造の用途。
（７）ランプ体、ランプホルダ及び前記（１）〜（４）の何れか１項に記載の照明器具の固定構造を備え、前記ランプ体は、前記ランプホルダ上に直接取付けられ、前記照明器具の固定構造は、前記ランプホルダ上に直接取り付けられ、前記ランプ体は、前記照明器具の固定構造の外側を覆い、前記ランプホルダ上には、導入槽と、前記導入槽と連通した固定槽と、が形成され、前記導入槽と前記固定槽とが連通し、前記固定槽は、内側が広くて外側が狭くなるように形成され、前記固定槽がリング状に形成され、実際に使用する際、固定部材を緩めて開き、前記ランプホルダ上のケーブルが貫線孔に挿通され、前記ランプ体上の前記ケーブルを導電押さえ片上に係入してから固定部材を締め付け、導電押さえ片を前記ケーブル上の接続面に強く圧着させ、回路の導通を維持し、前記照明器具の固定構造上の掛止部は、前記導入槽から係入され、前記照明器具の固定構造を回転させることにより前記掛止部を前記固定槽内に係合させることを特徴とする照明器具の固定構造の用途。
【考案の効果】
【０００６】
本考案の照明器具の固定構造上には、貫線孔、掛止部、弾片部及び導電押さえ片が設けられ、実際の必要に応じて中間コネクタ又は接線端子として使用することができるため、接続が安定し、構造の自由度が高く、着脱が容易であった。そのため、実用的価値が高く、普及させる価値がある。
【図面の簡単な説明】
【０００７】
【図１】本考案の一実施形態に係る照明器具の固定構造を示す斜視図である。
【図２】図１の照明器具の固定構造の別の角度からの斜視図である。
【図３】図１の照明器具の固定構造を示す底面図である。
【図４】本考案の一実施形態に係る照明器具の固定構造を中間コネクタとして使用するときの説明図である。
【図５】本考案の一実施形態に係る照明器具の固定構造を中間コネクタとして使用する状態の説明図である。
【図６】本考案の一実施形態に係る照明器具の固定構造を接線端子として使用する場合のライトホルダを示す底面図である。
【考案を実施するための形態】
【０００８】
以下、図面により、本考案を具体的に説明する。もっとも、本考案は、かかる図面により限定されるものではない。
【０００９】
図１及び図２を参照する。図１及び図２に示すように、本考案の一実施形態に係る照明器具の固定構造は、少なくとも本体部１０と、導電押さえ片２０と、導電押さえ片２０を本体部１０上に固定する固定部材３０と、を含む。
【００１０】
上述した照明器具の固定構造の本体部１０は、ベースボディ１１と、ベースボディ１１上に接続されてベースボディ１１の上端面に延設された２つの掛止部１２と、ベースボディ１１の両側に接続された弾片部１３と、を含む。上述したベースボディ１１全体は方形状に成形される。上述したベースボディ１１の上端面の中央部には、下向きに貫通した貫線孔１５が形成される。上述した掛止部１２は、互いに一体成形された接続部１２２及び係合部１２１を含む。上述した接続部１２２及び係合部１２１は、逆Ｌ字状に成形される。上述した接続部１２２は、ベースボディ１１上に延設されている。２つの掛止部１２上の上述した係合部１２１は、対向配置される。２つの掛止部１２は、ベースボディ１１に対角位置で設けられる。
【００１１】
上述したベースボディ１１の両側には、底面から上方へ延びた可動槽１４が形成される。２つの上述した弾片部１３は、２つの可動槽１４の槽底壁上にそれぞれ接続される。弾片部１３の底部は、垂直方向でベースボディ１１の下方まで延びる。上述した弾片部１３の底端の外側面には、バンプ１３１が設けられる。上述したバンプ１３１上には、ガイド斜面が設けられ、上述したバンプ１３１は、可動槽１４の外側まで水平方向で延び、弾片部１３がランプ体に係入される。
【００１２】
実際に使用するとき、上述した照明器具の固定構造は、ランプ体４０及びランプホルダ５０の中間コネクタとして使用してもよく、図４及び図５に示すように、上述した照明器具の固定構造を接続部材として用いるとき、上述したランプホルダ５０を壁又は天井に固定し、上述したランプ体４０上には、頂面近くに頂板４１が設けられる。上述した頂板４１上には、係入槽４１１が形成される。本実施形態の係入槽４１１の個数は２つである。２つの係入槽４１１間の間隔が２つの弾片部１３上のバンプ１３１間の間隔より僅かに小さいため、上述したランプ体を照明器具の固定構造上に取付けることができる。上述した弾片部１３が内方に収縮して係入槽４１１に挿通されると、弾性回復力により初期位置に復位し、弾片部１３上のバンプ１３１が頂板４１の下方に係合される。上述したランプホルダ５０の底部上には、導入槽５１と、導入槽５１と連通した固定槽（図示せず）とが設けられる。上述した導入槽５１は、固定槽と連通する。上述した固定槽は、内側が広くて外側が狭くなるように形成され、固定槽がリング状に形成される。実際に組立てるとき、固定部材３０を緩めて開き、上述したランプホルダ５０上のケーブルが貫線孔１５３に挿通され、ランプ体上のケーブルを導電押さえ片２０上に係入してから固定部材３０を締め付け、導電押さえ片２０をケーブル上の接続面に強く圧着させて回路の導通を保持し続ける。上述した照明器具の固定構造上の掛止部１２は、導入槽５１から係入され、照明器具の固定構造により掛止部１２を固定槽内に係合し、取り外すときは、ランプ体を反対方向へ回し、導入槽５１上から掛止部１２をイジェクトする。照明器具の固定構造とランプ体とを互いに反対方向へ引き離し、弾片部１３が係入槽４１１から外れ、照明器具の固定構造がランプ体から外れる。
【００１３】
図６を参照する。図６に示すように、上述した照明器具の固定構造は、接線端子として使用するときは、上述したランプ体をランプホルダ５０ａ上に直接取り付ける。上述した照明器具の固定構造は、ランプホルダ５０ａ上に直接取り付けられる。上述したランプ体は、照明器具の固定構造の外側を覆う。上述したランプホルダ５０ａ上には、同様に導入槽５１ａと、導入槽５１ａと連通した固定槽５２ａと、が形成される。上述した導入槽５１ａと固定槽５２ａとが連通し、上述した固定槽５２ａは、内側が広くて外側が狭くなるように形成され、固定槽５２ａはリング状に形成される。実際に使用する際、固定部材３０を緩めて開き、上述したランプホルダ５０上のケーブルが貫線孔１５に挿通され、ランプ体上のケーブルを導電押さえ片２０上に係入してから固定部材３０を締め付け、導電押さえ片２０をケーブル上の接続面に強く圧着させ、回路の導通を維持する。上述した照明器具の固定構造上の掛止部１２は、導入槽５１ａから係入され、照明器具の固定構造を回転させ、掛止部１２を固定槽５２ａ内に係合し、取り外すときは、ランプ体を反対方向へ回すと、導入槽５１から掛止部１２を取り外すことができる。
【００１４】
上述したことから分かるように、本考案の照明器具の固定構造上には、貫線孔１５、掛止部１２、弾片部１３及び導電押さえ片２０が設けられ、実際の必要に応じて中間コネクタ又は接線端子として使用することができるため、接続が安定し、構造の自由度が高く、着脱が容易であった。そのため、実用的価値が高く、普及させる価値がある。
【符号の説明】
【００１５】
１０  本体部
１１  ベースボディ
１２  掛止部
１３  弾片部
１４  可動槽
１５  貫線孔
２０  導電押さえ片
３０  固定部材
４０  ランプ体
４１  頂板
５０  ランプホルダ
５０ａ  ランプホルダ
５１  導入槽
５１ａ  導入槽
５２ａ  固定槽
１２１  係合部
１２２  接続部
１３１  バンプ
４１１  係入槽
【図１】
0003226698.tif 000003
【図２】
0003226698.tif 000004
【図３】
0003226698.tif 000005
【図４】
0003226698.tif 000006
【図５】
0003226698.tif 000007
【図６】
0003226698.tif 000008
【手続補正書】
【提出日】令和2年4月20日(2020.4.20)
【手続補正１】
【補正対象書類名】実用新案登録請求の範囲
【補正対象項目名】全文
【補正方法】変更
【補正の内容】
【実用新案登録請求の範囲】
【請求項１】
本体部と、導電押さえ片と、前記導電押さえ片を前記本体部上に固定する固定部材と、を備えた照明器具の固定構造であって、
前記本体部は、ベースボディと、前記ベースボディ上に接続されて前記ベースボディの上端面に延設された掛止部と、前記ベースボディの両側に接続された弾片部と、を有し、前記ベースボディ全体は方形状に成形され、
前記ベースボディの上端面の中央部には、下向きに貫通した貫線孔が形成され、
前記掛止部は、互いに一体成形された接続部及び係合部を含み、  
前記接続部及び前記係合部は、逆Ｌ字状に成形され、
前記接続部は、前記ベースボディ上に延設されることを特徴とする照明器具の固定構造。
【請求項２】
前記ベースボディ上の前記掛止部の個数は２つであり、
２つの前記掛止部上の前記係合部は、対向配置され、前記掛止部は、前記ベースボディに対角位置で設けられることを特徴とする請求項１に記載の照明器具の固定構造。
【請求項３】
前記ベースボディの両側には、底面から上方へ延びた可動槽が形成され、
２つの前記弾片部は、前記可動槽の槽底壁上にそれぞれ接続され、
前記弾片部の底部は、垂直方向で前記ベースボディの下方まで延びることを特徴とする請求項１に記載の照明器具の固定構造。
【請求項４】
前記弾片部の底端の外側面には、バンプが設けられ、
前記バンプ上には、ガイド斜面が設けられ、
前記バンプは、前記可動槽の外側まで水平方向で延びることを特徴とする請求項３に記載の照明器具の固定構造。
【請求項５】
ランプ体、ランプホルダ及び請求項１〜４の何れか１項に記載の照明器具の固定構造を備え、
前記ランプ体上には、頂面近くに頂板が設けられ、
前記頂板上には、係入槽が形成され、
前記ランプ体は、前記照明器具の固定構造上に取付けられ、弾片部が内方に収縮して前記係入槽に挿通されると、弾性回復力により初期位置に復位し、前記弾片部上のバンプが前記頂板の下方に係合され、前記ランプホルダの底部上には、導入槽と、前記導入槽と連通した固定槽とが設けられ、前記導入槽は、前記固定槽と連通し、前記固定槽は、内側が広くて外側が狭くなるように形成され、前記固定槽がリング状に形成され、実際に組立てるとき、固定部材を緩めて開き、前記ランプホルダ上のケーブルを貫線孔に挿通し、前記ランプ体上の前記ケーブルを導電押さえ片上に係入してから固定部材を締め付け、前記導電押さえ片を前記ケーブル上の接続面に強く圧着させて回路の導通を保持し続け、前記照明器具の固定構造上の掛止部は、前記導入槽から係入され、前記照明器具の固定構造を回転させることにより前記掛止部を前記固定槽内に係合させることを特徴とする照明器具の固定構造。
【請求項６】
前記係入槽の個数は２つであり、２つの前記係入槽間の間隔が２つの弾片部上のバンプ間の間隔より小さいことを特徴とする請求項５に記載の照明器具の固定構造。
【請求項７】
ランプ体、ランプホルダ及び請求項１〜４の何れか１項に記載の照明器具の固定構造を備え、
前記ランプ体は、前記ランプホルダ上に直接取付けられ、
前記照明器具の固定構造は、前記ランプホルダ上に直接取り付けられ、
前記ランプ体は、前記照明器具の固定構造の外側を覆い、前記ランプホルダ上には、導入槽と、前記導入槽と連通した固定槽と、が形成され、
前記導入槽と前記固定槽とが連通し、前記固定槽は、内側が広くて外側が狭くなるように形成され、前記固定槽がリング状に形成され、実際に使用する際、固定部材を緩めて開き、前記ランプホルダ上のケーブルが貫線孔に挿通され、前記ランプ体上の前記ケーブルを導電押さえ片上に係入してから固定部材を締め付け、導電押さえ片を前記ケーブル上の接続面に強く圧着させ、回路の導通を維持し、前記照明器具の固定構造上の掛止部は、前記導入槽から係入され、前記照明器具の固定構造を回転させることにより前記掛止部を前記固定槽内に係合させることを特徴とする照明器具の固定構造。
【手続補正２】
【補正対象書類名】明細書
【補正対象項目名】０００１
【補正方法】変更
【補正の内容】
【０００１】
本考案は、照明装置部材に関するものであり、さらに詳しくは、照明器具の固定構造に関するものである。
【手続補正３】
【補正対象書類名】明細書
【補正対象項目名】０００５
【補正方法】変更
【補正の内容】
【０００５】
かくして、本考案の要旨は、次の（１）〜（７）に記載の通りのものである。
（１）本体部と、導電押さえ片と、前記導電押さえ片を前記本体部上に固定する固定部材と、を備えた照明器具の固定構造であって、前記本体部は、ベースボディと、前記ベースボディ上に接続されて前記ベースボディの上端面に延設された掛止部と、前記ベースボディの両側に接続された弾片部と、を有し、前記ベースボディ全体は方形状に成形され、前記ベースボディの上端面の中央部には、下向きに貫通した貫線孔が形成され、前記掛止部は、互いに一体成形された接続部及び係合部を含み、前記接続部及び前記係合部は、逆Ｌ字状に成形され、前記接続部は、前記ベースボディ上に延設されることを特徴とする照明器具の固定構造。
（２）前記ベースボディ上の前記掛止部の個数は２つであり、２つの前記掛止部上の前記係合部は、対向配置され、前記掛止部は、前記ベースボディに対角位置で設けられることを特徴とする前記（１）に記載の照明器具の固定構造。
（３）前記ベースボディの両側には、底面から上方へ延びた可動槽が形成され、２つの前記弾片部は、前記可動槽の槽底壁上にそれぞれ接続され、前記弾片部の底部は、垂直方向で前記ベースボディの下方まで延びることを特徴とする前記（１）に記載の照明器具の固定構造。
（４）前記弾片部の底端の外側面には、バンプが設けられ、前記バンプ上には、ガイド斜面が設けられ、前記バンプは、前記可動槽の外側まで水平方向で延びることを特徴とする前記（３）に記載の照明器具の固定構造。
（５）ランプ体、ランプホルダ及び前記（１）〜（４）の何れか１項に記載の照明器具の固定構造を備え、前記ランプ体上には、頂面近くに頂板が設けられ、前記頂板上には、係入槽が形成され、前記ランプ体は、前記照明器具の固定構造上に取付けられ、弾片部が内方に収縮して前記係入槽に挿通されると、弾性回復力により初期位置に復位し、前記弾片部上のバンプが前記頂板の下方に係合され、前記ランプホルダの底部上には、導入槽と、前記導入槽と連通した固定槽とが設けられ、前記導入槽は、前記固定槽と連通し、前記固定槽は、内側が広くて外側が狭くなるように形成され、前記固定槽がリング状に形成され、実際に組立てるとき、固定部材を緩めて開き、前記ランプホルダ上のケーブルを貫線孔に挿通し、前記ランプ体上の前記ケーブルを導電押さえ片上に係入してから固定部材を締め付け、前記導電押さえ片を前記ケーブル上の接続面に強く圧着させて回路の導通を保持し続け、前記照明器具の固定構造上の掛止部は、前記導入槽から係入され、前記照明器具の固定構造を回転させることにより前記掛止部を前記固定槽内に係合させることを特徴とする照明器具の固定構造。
（６）前記係入槽の個数は２つであり、２つの前記係入槽間の間隔が２つの弾片部上のバンプ間の間隔より小さいことを特徴とする前記（５）に記載の照明器具の固定構造。
（７）ランプ体、ランプホルダ及び前記（１）〜（４）の何れか１項に記載の照明器具の固定構造を備え、前記ランプ体は、前記ランプホルダ上に直接取付けられ、前記照明器具の固定構造は、前記ランプホルダ上に直接取り付けられ、前記ランプ体は、前記照明器具の固定構造の外側を覆い、前記ランプホルダ上には、導入槽と、前記導入槽と連通した固定槽と、が形成され、前記導入槽と前記固定槽とが連通し、前記固定槽は、内側が広くて外側が狭くなるように形成され、前記固定槽がリング状に形成され、実際に使用する際、固定部材を緩めて開き、前記ランプホルダ上のケーブルが貫線孔に挿通され、前記ランプ体上の前記ケーブルを導電押さえ片上に係入してから固定部材を締め付け、導電押さえ片を前記ケーブル上の接続面に強く圧着させ、回路の導通を維持し、前記照明器具の固定構造上の掛止部は、前記導入槽から係入され、前記照明器具の固定構造を回転させることにより前記掛止部を前記固定槽内に係合させることを特徴とする照明器具の固定構造。
【手続補正４】
【補正対象書類名】明細書
【補正対象項目名】０００６
【補正方法】変更
【補正の内容】
【０００６】
本考案の照明器具の固定構造上には、貫線孔、掛止部、弾片部及び導電押さえ片が設けられ、実際の必要に応じて中間コネクタ又は接線端子として使用することができるため、接続が安定し、固定構造の自由度が高く、着脱が容易である。そのため、実用的価値が高く、普及させる価値がある。